(57)【要約】本開示のある態様は一般にワイヤレス通信に関し、特に、ダウンリンクリソースに基づいてアップリンク狭帯域領域を決定することに関する。例示方法は一般に、ダウンリンクリソースに基づいてより広いシステム帯域幅内で１つまたは複数のアップリンク狭帯域領域を識別することと、識別された狭帯域の少なくとも１つを用いて通信することを含む。
2018522447.tif 000002
【特許請求の範囲】
【請求項１】
ワイヤレス通信のための方法において、
ダウンリンクリソースに基づいてより広いシステム帯域幅内で１つまたは複数のアップリンク狭帯域領域を識別することと、
前記識別された狭帯域の少なくとも１つを用いて通信することと、
を備える方法。
【請求項２】
前記狭帯域領域は６つのリソースブロック（ＲＢｓ）未満を備える、請求項１の方法。
【請求項３】
前記識別することは、サイクリックシフトに基づいてアップリンクリソースへのダウンリンクリソースのマッピングを備える、請求項１の方法。
【請求項４】
前記識別することはダウンリンクメッセージの第１のコントロールチャネルエレメント（ＣＣＥ）のインデックスに基づく、請求項１の方法。
【請求項５】
前記ダウンリンクメッセージはマシンタイプ通信（ＭＴＣ）物理ダウンリンクコントロールチャネル（ＭＰＤＣＣＨ）メッセージを備える、請求項４の方法。
【請求項６】
前記識別することは、
周波数ホッピングパターンに従って異なるサブフレームにおけるアップリンク狭帯域領域を識別することを備える、請求項１の方法。
【請求項７】
前記周波数ホッピングパターンは前記システム帯域幅のエッジで狭帯域領域をミラーリングすることを生じる、請求項６の方法。
【請求項８】
前記周波数ホッピングパターンは多数の連続するサブフレームに対して固定されている狭帯域領域を生じる、請求項６の方法。
【請求項９】
無線通信のための装置において、
ダウンリンクリソースに基づいて、より広いシステム帯域幅内で１つまたは複数のアップリンク狭帯域領域を識別するように構成された少なくとも１つのプロセッサと、
前記識別された狭帯域の少なくとも１つを用いて通信するように構成されたトランシーバと、
前記少なくとも１つのプロセッサに結合されたメモリと、
を備える、装置。
【請求項１０】
前記狭帯域領域は６つのリソースブロック（ＲＢｓ）未満を備える、請求項１０の装置。
【請求項１１】
前記識別することはサイクリックシフトに基づいてアップリンクリソースへのダウンリンクリソースのマッピングを利用することを備える、請求項１０の装置。
【請求項１２】
前記識別することはダウンリンクメッセージの第１のコントロールチャネルエレメント（ＣＣＥ）のインデックスに基づく、請求項１０の装置。
【請求項１３】
前記ダウンリンクメッセージはマシンタイプ通信（ＭＴＣ）物理ダウンリンクコントロールチャネル（ＭＰＤＣＣＨ）メッセージを備える、請求項１２の装置。
【請求項１４】
前記識別することは、
周波数ホッピングパターンに従って異なるサブフレームにおいてアップリンク狭帯域領域を識別することを備える、請求項１０の装置。
【請求項１５】
前記周波数ホッピングパターンは前記システム帯域幅のエッジにおいて狭帯域領域をミラーリングすることを生じする請求項１４の装置。
【請求項１６】
前記周波数ホッピングパターンは多数の連続するサブフレームに対して固定されている狭帯域領域を生じる、請求項１４の装置。
【請求項１７】
ダウンリンクリソースに基づいてより広いシステム帯域幅内で１つまたは複数のアップリンク領域を識別する手段と、
前記識別された狭帯域の少なくとも１つを用いて通信することを備える、ワイヤレス通信のための措置。
【請求項１８】
前記狭帯域領域は６つのリソースブロック（ＲＢｓ）未満を備える、請求項１７の装置。
【請求項１９】
前記識別する手段は、サイクリックシフトに基づいてアップリンクリソースへのダウンリンクリソースのマッピングを利用する手段を備える、請求項１７の装置。
【請求項２０】
前記識別することは、ダウンリンクメッセージの第１のコントロールチャネルエレメント（ＣＣＥ）のインデックスに基づく、請求項１７の装置。
【請求項２１】
前記ダウンリンクメッセージはマシンタイプ通信（ＭＴＣ）物理ダウンリンクコントロールチャネル（ＰＤＣＣＨ）メッセージを備える、請求項２０の装置。
【請求項２２】
前記識別する手段は、周波数ホッピングパターンに従って異なるサブフレームにおいてアップリンク狭帯域領域を識別することを備える、請求項１７の装置。
【請求項２３】
前記周波数ホッピングパターンは前記システム帯域幅のエッジで狭帯域領域をミラーリングすることを生じる、請求項２２の装置。
【請求項２４】
前記周波数ホッピングパターンは多数の連続するサブフレームに対して固定されている狭帯域領域を生じる、請求項２２の装置。
【請求項２５】
１つまたは複数のプロセッサにより実行されると、動作を実行する命令を備えるコンピュータ可読媒体において、前記動作は、
ダウンリンクリソースに基づいてより広いシステム帯域幅内で１つまたは複数のアップリンク狭帯域を識別することと、
前記識別された狭帯域の少なくとも１つを用いて通信することを備える、コンピュータ可読媒体。
【請求項２６】
前記狭帯域領域は６つのリソースブロック（ＲＢｓ）未満を備える、請求項２５のコンピュータ可読媒体。
【請求項２７】
前記識別することはサイクリックシフトに基づいてアップリンクリソースへのダウンリンクリソースのマッピングを利用することを備える、請求項２５のコンピュータ可読媒体。
【請求項２８】
前記識別することはダウンリンクメッセージの第１のコントロールチャネルエレメント（ＣＣＥ）のインデックスに基づく、請求項２５のコンピュータ可読媒体。
【請求項２９】
前記識別することは、
周波数ホッピングパターンに従って異なるサブフレームにおけるアップリンク狭帯域領域を識別することを備える、請求項２５のコンピュータ可読媒体。
【請求項３０】
前記周波数ホッピングパターンは、
前記システム帯域幅のエッジにおいて狭帯域領域をミラーリングすること、または
前記狭帯域領域は多数の連続するサブフレームに対して固定されている
の少なくとも１つを生じる、請求項２９のコンピュータ可読媒体。
【発明の詳細な説明】
【関連出願の相互参照】
【０００１】
[0001]この出願は、２０１５年５月１５日に出願された「マシンタイプ通信（ＭＴＣ）のための物理アップリンクコントロールチャネル（ＰＵＣＣＨ）構成」というタイトルの米国仮出願番号第６２／１６２，６１０の利益を主張する、２０１６年５月９日に出願された米国特許出願第１５／１４９，５６５の優先権を主張し、その内容はその全体において参照することによりここに組み込まれる。
【技術分野】
【０００２】
[0002]本開示のある態様は一般にワイヤレス通信に関し、特にダウンリンクリソースに基づいてアップリンク狭帯域領域を決定することに関する。
【背景技術】
【０００３】
[0003]  ワイヤレス通信システムは、音声、データなど、様々なタイプの通信コンテンツを提供するために広く展開されている。これらのシステムは、利用可能なシステムリソース（例えば、帯域幅および送信電力）を共有することによって複数のユーザとの通信をサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、ロングタームエボリューション（ＬＴＥ(登録商標)）アドバンストシステムを含む第３世代パートナーシッププロジェクト（３ＧＰＰ(登録商標)）ＬＴＥ、および直交周波数分割多元接続（ＯＦＤＭＡ）システムが含まれる。
【０００４】
[0004]一般に、ワイヤレス多元接続通信システムは、複数のワイヤレス端末のための通信を同時にサポートできる。各端末は、順方向および逆方向リンク上における送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立されることができる。
【０００５】
[0005]ワイヤレス通信ネットワークは、多数のデバイスのための通信をサポートすることができる多数の基地局を含むことができる。ワイヤレスデバイスは、ユーザ機器（ＵＥｓ）を含むことができる。ＵＥｓのいくつかの例は、セルラフォン、スマートフォン、携帯情報端末（ＰＤＡ）、ワイヤレスモデム、バンドヘルドデバイス、タブレット、ラップトップコンピュータ、ノートブック、スマートブック、ウルトラブックなどを含むことができる。いくつかのＵＥは、マシン型通信（ＭＴＣ：machine-type communication）のＵＥと見なされることができ、それらは、基地局、別の遠隔デバイス、またはいくつかの他のエンティティと通信することができる、センサ、メータ、モニタ、ロケーションタグ、ドローン、トラッカ、ロボットなどのような遠隔デバイスを含むことができる。マシン型通信（ＭＴＣ）は、通信の少なくとも一端における少なくとも１つの遠隔デバイスを含む通信を指し、人間の相互作用（human interaction）を必ずしも必要としない１つまたは複数のエンティティを含む、データ通信の形式を含むことができる。ＭＴＣ ＵＥｓは、例えば、公衆地上モバイルネットワーク（ＰＬＭＮ：Public Land Mobile Networks）を通してＭＴＣサービスおよび／または他のＭＴＣデバイスとＭＴＣ通信することができるＵＥを含むことができる。
【０００６】
[0006]ＭＴＣデバイスのようなあるデバイスのカバレッジを拡張するために、例えば、複数のサブフレームにわたって送信される同じ情報を用いて、特定の送信が送信のバンドルとして送られる「バンドリング」(bundling)が利用されることができる。
【発明の概要】
【０００７】
[0007]本開示のシステム、方法、およびデバイスは各々、いくつかの態様を有し、これらのうちのいずれも、その望ましい属性を単独で担うものではない。後続する特許請求の範囲によって表されるこの開示の範囲を限定することなしに、ここでいくつかの特徴が簡潔に論述される。本論述を考慮した後、特に「詳細な説明」と題されたセクションを読んだ後、当業者は、この開示の特徴がワイヤレスネットワーク内におけるアクセスポイントと局との間での改善された通信を含む利点をどのように提供するかを理解するであろう。
【０００８】
[0008]ダウンリンクリソースに基づいてアップリンク狭帯域領域を決定するための技法および装置が提供される。
【０００９】
[0009]本開示のある態様は、装置によるワイヤレス通信のための方法を提供する。方法は一般にダウンリンクリソースに基づいてより広いシステム帯域幅内で１つまたは複数のアップリンク狭帯域領域を識別することと、識別された狭帯域の少なくとも１つを用いて通信することを含む。
【００１０】
[0010]本開示のある態様は、ワイヤレス通信のための装置を提供する。装置は一般にダウンリンクリソースに基づいてより広いシステム帯域幅内で１つまたは複数のアップリンク狭帯域領域を識別するように構成された少なくとも１つのプロセッサと、識別された狭帯域の少なくとも１つを用いて通信するように構成されたトランシーバを含む。
【００１１】
[0011]本開示のある態様は、ワイヤレス通信のための装置を提供する。装置は一般にダウンリンクリソースに基づいてより広いシステム帯域幅内で１つまたは複数のアップリンク狭帯域領域を識別する手段と、識別された狭帯域の少なくとも１つを用いて通信する手段を含む。
【００１２】
[0012]本開示のある態様は、ワイヤレス通信のための非一時的コンピュータ可読媒体を提供する。非一時的コンピュータ可読媒体は一般にダウンリンクリソースに基づいてより広いシステム帯域幅内で１つまたは複数のアップリンク狭帯域を識別するための命令と、識別された狭帯域の少なくとも１つを用いて通信するための命令を含む。
【００１３】
[0013]方法、装置、システム、コンピュータプログラム製品、および処理システムを含む、数多くの他の態様が提供される。
【図面の簡単な説明】
【００１４】
[0014]本開示の上述された特徴が詳細に理解できるように、上記で簡潔に要約されたより特定の説明は、態様への参照によりなされることがあり得、それらのうちのいくつかは、添付された図面内において例示される。しかしながら、添付した図面は、本開示のある典型的な態様のみを図示しており、それゆえ、その範囲を限定するものとして考えられるものではなく、説明のために、他の同等に効果的な態様を認めてもよいことに留意すべきである。
【図１】[0015]図１は、本開示の特定の態様に係る、例となるワイヤレス通信ネットワークを概念的に例示するブロック図である。
【図２】[0016]図２は、本開示の特定の態様に係る、ワイヤレス通信ネットワーク内のユーザ機器（ＵＥ）と通信状態にある発展型ノードＢ（ｅＮＢ）の例を概念的に例示するブロック図である。
【図３】[0017]図３は、本開示の特定の態様に係る、ワイヤレス通信ネットワークで用いる特定の無線アクセス技術（ＲＡＴ）のための例となるフレーム構造を概念的に例示するブロック図である。
【図４】[0018]図４は、本開示の特定の態様に係る、通常のサイクリックプレフィックスを有する、ダウンリンクのための２つの例となるサブフレームフォーマットを例示する。
【図５】[0019]図５は、本開示の特定の態様に従った、ＰＳチャネルの例を図示する。
【図６】[0020]図６は本開示のある特定の態様に従うワイヤレス通信のための例となる動作を例示する図。
【図７】[0021]図７は本開示のある態様に従ってマシンタイプ通信（ＴＣ）ＵＥｓに関して決定された周波数ホッピングされたアップリンクリソースの一例を示す。
【図８】[0022]図８は、本開示のある態様に従って、ＭＴＣ  ＵＥｓに関して決定されたアップリンクリソースの一例を示す。
【図９】[0023]図９は本開示のある態様に従って、サブフレームのグループにまたがる周波数ホッピングされたアップリンク送信の一例を図示する。
【発明の詳細な説明】
【００１５】
[0024]マシンタイプ通信（ＭＴＣ）ユーザ機器（ＵＥｓ）は一般に、非ＭＴＣ  ＵＥｓに対して制限された通信能力（例えば、低減された数の受信チェーン）を有し得る低コスト、低データレートＵＥｓである。本開示の態様は低コスト、低データレートＵＥｓに関するダウンリンクカバレッジを強化するための技法および装置を提供する。
【００１６】
[0025]ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々なワイヤレス通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメントすることができる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００規格、ＩＳ−９５規格、およびＩＳ−８５６規格をカバーする。ＴＤＭＡネットワークは、モバイル通信のためのグローバルシステム（ＧＳＭ（登録商標））のような無線テクノロジーをインプリメントすることができる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、フラッシュＯＦＤＭＡ（登録商標）、等といった、無線技術をインプリメントすることができる。ＵＴＲＡおよびＥ−ＵＴＲＡは、ユニバーサルモバイル電気通信システム（ＵＭＴＳ）の一部である。周波数分割多重（ＦＤＤ）および時分割多重（ＴＤＤ）の両方における３ＧＰＰロングタームエボリューション（ＬＴＥ）およびＬＴＥ−アドバンスト（ＬＴＥ−Ａ）は、ダウンリンクにＯＦＤＭＡを、アップリンクにＳＣ−ＦＤＭＡを採用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ(登録商標)）という名称の団体からの文書内において説明されている。ｃｄｍａ２０００およびＵＭＢは、「第３世代パートナーシッププロジェクト２」（３ＧＰＰ２）と命名された団体からの文書内に説明されている。ここで説明される技法は、上述されたワイヤレスネットワークおよび無線技術のみならず、他のワイヤレスネットワークおよび無線技術のた
めに使用されることができる。明瞭さのために、これらの技法のある態様は、以下ではＬＴＥ／ＬＴＥ−Ａに関して記載され、ＬＴＥ／ＬＴＥ−Ａ専門用語が下記説明の大部分で使用される。
［ワイヤレス通信システムの例］
[0026]図１は、ＬＴＥネットワークまたは他の何らかのネットワークであり得るワイヤレス通信ネットワーク１００を示す。ワイヤレスネットワーク１００は、多数の発展型ノードＢｓ（ｅＮＢｓ）１１０および他のネットワークエンティティを含み得る。ｅＮＢは、ユーザ機器（ＵＥ）と通信するエンティティであり、基地局、ノードＢ、アクセスポイント（ＡＰ）などとも呼ばれ得る。各ｅＮＢは特定の地理的エリアに関する通信カバレッジを提供することができる。３ＧＰＰにおいて、「セル」という用語は、この用語が使用されるコンテキストに依存して、ｅＮＢのカバレッジエリアおよび／またはこのカバレッジエリアにサービスするｅＮＢサブシステムを指すことができる。
【００１７】
[0027]ｅＮＢは、マクロセル、ピコセル、フェムトセル、および／または他のタイプのセルに関する通信カバレッジを提供することができる。マクロセルは、比較的大きい地理的エリア（例えば、半径数キロメートル）をカバーし、サービス加入しているＵＥによる制限されていないアクセスを可能にすることができる。ピコセルは、相対的に小さい地理的エリアをカバーし、サービス加入しているＵＥによる制限されていないアクセスを可能にすることができる。フェムトセルは、相対的に小さい地理的エリア（例えば、家）をカバーし、このフェムトセルと関連性のあるＵＥ（例えば、クローズ加入者グループ（ＣＳＧ）におけるＵＥｓ）による制限されたアクセスを可能にすることができる。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢまたはホームｅＮＢ（ＨｅＮＢ）と呼ばれ得る。図１に示される例では、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数の（例えば、３つの）セルをサポートすることができる。「ｅＮＢ」、「基地局」、および「セル」という用語は、本明細書では同じ意味で使用されることができる。
【００１８】
[0028]ワイヤレスネットワーク１００はまた、中継局（relay station）を含むことができる。中継局は、アップストリーム局（例えば、ｅＮＢまたはＵＥ）からデータの送信を受信し、ダウンストリーム局（例えば、ＵＥまたはｅＮＢ）にデータの送信を送ることができるエンティティである。中継局はまた、他のＵＥｓのための送信を中継することができるＵＥであり得る。図１に示される例では、中継局１１０ｄは、ｅＮＢ１１０ａとＵＥ１２０ｄの間の通信を容易にするために、マクロｅＮＢ１１０ａおよびＵＥ１２０ｄと通信することができる。中継局は、中継ｅＮＢ、中継基地局、リレーなどとも呼ばれることができる。
【００１９】
[0029]ワイヤレスネットワーク１００は、例えば、マクロｅＮＢ、ピコｅＮＢ、フェムトｅＮＢ、中継ｅＮＢなどの異なるタイプのｅＮＢｓを含む異種ネットワークであり得る。これらの異なるタイプのｅノードＢｓは、ワイヤレスネットワーク１００において、異なる送信電力レベル、異なるカバレッジ領域、および干渉に対する異なる影響を有することができる。例えば、マクロｅＮＢｓが、高い送信電力レベル（例えば、５〜４０Ｗ）を有することができるのに対して、ピコｅＮＢｓ、フェムトｅＮＢｓ、および中継ｅＮＢｓは、より低い送信電力レベル（例えば、０．１〜２Ｗ）を有することができる。
【００２０】
[0030]ネットワークコントローラ１３０は、これらｅＮＢｓのセットに結合することができ、これらｅＮＢｓに対して協調と制御を提供することができる。ネットワークコントローラ１３０は、バックホールを介してｅＮＢｓと通信することができる。ｅＮＢはまた、例えば直接的に、あるいはワイヤレスまたはワイヤーラインバックホールを介して間接的に互いに通信することができる。
【００２１】
[0031]ＵＥｓ１２０（例えば、１２０ａ、１２０ｂ、１２０ｃ）は、ワイヤレスネットワーク１００全体に分散されることができ、各ＵＥは静止されていてもよいしモバイルであってもよい。ＵＥはまた、アクセス端末、端末、モバイル局、加入者ユニット、ステーション（ＳＴＡ）などとも呼ばれることができる。ＵＥは、セルラフォン、パーソナルデジタルアシスタンツ（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。
【００２２】
[0032]図２は、基地局／ｅＮＢ１１０およびＵＥ１２０の設計のブロック図であり、これらは、図１における基地局／ｅＮＢのうちの１つおよびＵＥのうちの１つであり得る。基地局１１０には、Ｔ本のアンテナ２３４ａ〜２３４ｔが装備されることができ、ＵＥ１２０には、Ｒ本のアンテナ２５２ａ〜２５２ｒが装備されることができ、ここで、一般に、Ｔ≧１およびＲ≧１である。
【００２３】
[0033]基地局１１０では、送信プロセッサ２２０は、１つ以上のＵＥのためにデータソース２１２からデータを受信し、ＵＥから受信されたチャネル品質インジケータ（ＣＱＩｓ）に基づいて各ＵＥに対して１つ以上の変調およびコーディングスキーム（ＭＣＳｓ）を選択し、ＵＥごとにそのＵＥに対して選択されたＭＣＳ（複数の場合もある）に基づいてデータを処理（例えば、符号化および変調）し、すべてのＵＥに対してデータシンボルを提供することができる。送信プロセッサ２２０は、また、システム情報（例えば、準静的リソース分割情報（ＳＲＰＩ）、等）および制御情報（例えば、ＣＱＩ要求、グラント（grant）、上位層シグナリング、等）を処理し、オーバーヘッドシンボルおよび制御シンボルを提供することができる。プロセッサ２２０は、また、基準信号（例えば、共通基準信号（ＣＲＳ））および同期信号（例えば、一次同期信号（ＰＳＳ）および二次同期信号（ＳＳＳ））のための基準シンボルを生成することができる。送信（ＴＸ）多入力多出力（ＭＩＭＯ）プロセッサ２３０は、適用可能であれば、データシンボル、制御シンボル、オーバーヘッドシンボル、および／または、基準シンボルに対して空間処理（例えば、プリコーディング）を実行し、Ｔ個の出力シンボルストリームをＴ個の変調器（ＭＯＤｓ）２３２ａ〜２３２ｔに提供することができる。各変調器232は、出力サンプルストリームを取得するために（例えば、ＯＦＤＭ、等のための）それぞれの出力シンボルストリームを処理することができる。各変調器232はさらに、ダウンリンク信号を取得するために、出力サンプルストリームを処理（例えば、アナログに変換、増幅、フィルタリング、およびアップコンバート）することができる。変調器２３２ａ〜２３２ｔからのＴ個のダウンリンク信号は、Ｔ個のアンテナ２３４ａ〜２３４ｔを介して、それぞれ送信されることができる。
【００２４】
[0034]ＵＥ１２０では、アンテナ２５２ａ〜２５２ｒは、基地局１１０および／または他の基地局からダウンリンク信号を受信し、それぞれ復調器（ＤＥＭＯＤｓ）２５４ａ〜２５４ｒに受信された信号を提供することができる。各復調器254は、その受信された信号を調整（例えば、フィルタリング、増幅、ダウンコンバート、およびデジタル化）し、入力サンプルを取得することができる。各復調器254は、（例えば、ＯＦＤＭ等のために）入力サンプルをさらに処理し、受信されたシンボルを取得することができる。ＭＩＭＯ検出器２５６は、Ｒ個のすべての復調器２５４ａ〜２５４ｒからの受信されたシンボルを取得し、適用可能であれば、受信されたシンボルに対してＭＩＭＯ検出を実行し、検出されたシンボルを提供することができる。受信プロセッサ２５８は、検出されたシンボルを処理（例えば、復調、および復号）し、ＵＥ 120のための復号されたデータをデータシンク２６０に提供し、復号された制御情報およびシステム情報をコントローラ／プロセッサ２８０に提供することができる。チャネルプロセッサは、基準信号受信電力（ＲＳＲＰ）、受信信号強度インジケータ（ＲＳＳＩ）、基準信号受信品質（ＲＳＲＱ）、ＣＱＩ、等を決定することができる。
【００２５】
[0035]アップリンクにおいて、ＵＥ１２０では、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩなどを含む報告のための）制御情報を受信し、処理することができる。プロセッサ264はまた、１つまたは複数の基準信号のための基準シンボルを生成することができる。送信プロセッサ２６４からのシンボルは、適用可能であれば、ＴＸ ＭＩＭＯプロセッサ２６６によってプリコードされ、変調器２５４ａ〜２５４ｒ（例えば、ＳＣ−ＦＤＭ、ＯＦＤＭなどのための）によってさらに処理され、基地局１１０に送信されることができる。基地局１１０では、ＵＥ １２０および他のＵＥｓからのアップリンク信号は、アンテナ２３４によって受信され、復調器２３２によって処理され、適用可能であれば、ＭＩＭＯ検出器２３６によって検出され、さらに受信プロセッサ２３８によって処理されて、ＵＥ１２０によって送られた復号されたデータおよび制御情報を取得する。プロセッサ238は、復号されたデータをデータシンク239に、そして、復号された制御情報をコントローラ／プロセッサ240に提供することができる。基地局１１０は、通信ユニット２４４を含み、通信ユニット２４４を介してネットワークコントローラ１３０に通信することができる。ネットワークコントローラ１３０は、通信ユニット２９４、コントローラ／プロセッサ２９０、およびメモリ２９２を含むことができる。
【００２６】
[0036]コントローラ／プロセッサ２４０および２８０は、それぞれ基地局１１０およびＵＥ１２０において動作を指示することができる。基地局１１０におけるプロセッサ２４０および／または他のプロセッサおよびモジュール、および／またはＵＥ１２０におけるプロセッサ２８０および／または他のプロセッサおよびモジュールは、ここで説明される技法についての処理を実行するか、または指示することができる。メモリ２４２および２８２は、それぞれ基地局110およびＵＥ120のためのデータおよびプログラムコードを記憶することができる。スケジューラ246は、ダウンリンクおよび／またはアップリンク上でのデータ送信のためにＵＥをスケジューリングすることができる。
【００２７】
[0037]ＵＥ１２０にデータを送信する場合に、基地局１１０は、データ割当サイズに少なくとも部分的に基づいてバンドリングサイズ（bundling size）を決定し、決定されたバンドリングサイズのバンドルされた連続リソースブロック内のデータをプリコードするように構成され、ここで、各バンドル（bundle）内のリソースブロックは、共通プリコーディングマトリクスでプリコードされることができる。すなわち、リソースブロック内のＵＥ−ＲＳのような基準信号（ＲＳ）および／またはデータは、同じプリコーダを使用してプリコードされることができる。バンドリングされたリソースブロック（ＲＢ）の各ＲＢ内のＵＥ−ＲＳに対して使用される電力レベルも同じであり得る。
【００２８】
[0038]ＵＥ１２０は、基地局１１０から送信されたデータを復号するために相補的処理（complementary processing）を行うように構成されることができる。例えば、ＵＥ１２０は、連続したＲＢｓのバンドルにおいて基地局から送信された受信データのデータ割り当てサイズに基づいてバンドリングサイズを決定し、ここにおいて、各バンドル内のリソースブロックにおける少なくとも１つの基準信号は共通プリコーディングマトリクスでプリコーディングされる、少なくとも１つのプリコーディング済みチャネルを、決定されたバンドリングサイズと、基地局から送信された１つ以上のＲＳｓとに基づいて推定し、この推定されたプリコードされたチャネルを使用して、受信された複数のバンドルを復号するように構成されることができる。
【００２９】
[0039]  図３は、ＬＴＥにおけるＦＤＤのための例示的なフレーム構造３００を示す。ダウンリンクおよびアップリンクの各々についての送信タイムラインは、無線フレームの単位に分割されることができる。各無線フレームは、所定の持続時間（例えば、１０ミリ秒（ｍｓ））を有し、０〜９のインデックスを有する１０個のサブフレームに区分されることができる。各サブフレームは、２つのスロットを含むことができる。各無線フレームは、したがって、０〜１９のインデックスを有する２０個のスロットを含むことができる。各スロットは、Ｌ個のシンボル期間、例えば、ノーマルサイクリックプレフィックス（a normal cyclic prefix）の場合７個のシンボル期間（図2に示されるように）、または、拡張サイクリックプリフィックス（an extended cyclic prefix）の場合６個のシンボル期間、を含むことができる。各サブフレーム内における２Ｌ個のシンボル期間は、０〜２Ｌ−１のインデックスが割り当てられることができる。
【００３０】
[0040]ＬＴＥにおいて、ｅＮＢは、ｅＮＢによってサポートされる各セルのシステム帯域幅の中心１．０８ＭＨｚにおけるダウンリンクで一次同期信号（ＰＳＳ）および二次同期信号（ＳＳＳ）を送信することができる。ＰＳＳおよびＳＳＳは、それぞれ、図３で示されるように、ノーマルサイクリックプレフィックスを用いた各無線フレームのサブフレーム０および５において、それぞれシンボル期間６および５で送信されることができる。ＰＳＳおよびＳＳＳは、セルの探索および捕捉（acquisition）のためにＵＥによって使用されることができる。ｅＮＢは、ｅＮＢによってサポートされる各セルについて、システム帯域幅にわたってセル固有基準信号（ＣＲＳ）を送信することができる。ＣＲＳは、各サブフレームのあるシンボル期間で送信されることができ、ＵＥｓによって、チャネル推定、チャネル品質測定、および／または他の機能を実行するために使用されることができる。ｅＮＢはまた、ある無線フレームのスロット１におけるシンボル期間０から３で物理ブロードキャストチャネル（ＰＢＣＨ：Physical Broadcast Channel）を送信することができる。ＰＢＣＨは、いくつかのシステム情報を搬送することができる。ｅＮＢは、あるサブフレームにおける物理ダウンリンク共有チャネル（ＰＤＳＣＨ）上にシステム情報ブロック（ＳＩＢｓ）のような他のシステム情報を送信することができる。ｅＮＢは、サブフレームの第１のＢ個のシンボル期間における物理ダウンリンク制御チャネル（ＰＤＣＣＨ）で制御情報／データを送信し、ここで、Ｂ個は各サブフレームに設定可能であり得る。ｅＮＢは、各サブフレームの残存シンボル期間（remaining symbol periods）におけるＰＤＳＣＨでトラフィックデータおよび／または他のデータを送信することができる。
【００３１】
[0041]ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００３２】
[0042]図４は、通常のサイクリックプレフィックスを有する、ダウンリンクのための２つの例となるサブフレームフォーマット４１０および４２０を示す。ダウンリンクのための利用可能な時間周波数リソースは、リソースブロックに分割されることができる。各リソースブロックは、１つのスロットにおいて１２個のサブキャリアをカバーすることができ、多数のリソース要素を含むことができる。各リソースエレメントは、1つのシンボル期間において1つのサブキャリアをカバーすることができ、1つの変調シンボルを送るために使用されることができ、これは、実数値あるいは複素数値であることができる。
【００３３】
[0043]サブフレームフォーマット４１０は、２つのアンテナを備えたｅＮＢに対して使用されることができる。ＣＲＳは、シンボル期間０、４、７、および１１においてアンテナ０および１から送信されることができる。基準信号は、送信機および受信機によってアプリオリ(a priori)に知られている信号であり、パイロットとも呼ばれることができる。ＣＲＳは、セルに固有の基準信号であり、例えば、セル識別子（ＩＤ）に基づいて生成される。図４では、ラベルＲａを有する所与のリソースエレメントに関して、変調シンボルはそのリソースエレメント上でアンテナａから送信されることができ、他のアンテナからそのリソースエレメント上に変調シンボルは送信されることができない。サブフレームフォーマット４２０は、４つのアンテナを備えたｅＮＢに対して使用されることができる。ＣＲＳは、シンボル期間０、４、７、および１１にアンテナ０および１から、シンボル期間１および８にアンテナ２および３から送信されることができる。サブフレームフォーマット４１０および４２０の両方について、ＣＲＳは、セルＩＤに基づいて決定されることができる、均等に間隔が空けられたサブキャリアで送信されることができる。異なるｅＮＢｓは、それらのＣＲＳを、それらのセルＩＤに依存して、同じまたは異なるサブキャリアで送信することができる。サブフレームフォーマット４１０および４２０の両方について、ＣＲＳのために使用されないリソースエレメントは、データ（例えば、トラフィックデータ、制御データ、および／または他のデータ）を送信するために使用されることができる。
【００３４】
[0044]インタレース構造は、ＬＴＥにおけるＦＤＤのためのダウンリンクおよびアップリンクの各々に対して使用されることができる。例えば、０〜Ｑ−１のインデックスを有するＱ個のインターレースが定義されることができ、ここで、Ｑは４、６、８、１０、または何らかの他の値と等しいものであり得る。各インターレースは、Ｑ個のフレームだけ離間されたサブフレームを含むことができる。特に、インターレースｑは、サブフレームｑ、ｑ＋Ｑ、ｑ＋２Ｑ、等を含むことができ、ここで、ｑ∈｛０，．．．，Ｑ−１｝である。
【００３５】
[0045]ワイヤレスネットワークは、ダウンリンクおよびアップリンク上でのデータ送信に関するハイブリッド自動再送要求（ＨＡＲＱ）をサポートすることができる。ＨＡＲＱの場合、送信機（例えば、ｅＮＢ１１０）は、パケットが受信機（例えば、ＵＥ １２０）によって正確に復号されるかまたは何らかの他の終了条件に遭遇するまで、パケットの１つ以上の送信を送ることができる。同期ＨＡＲＱの場合、パケットのすべての送信は、単一のインターレースの複数のサブフレームで送信されることができる。非同期ＨＡＲＱの場合、パケットの各送信は、任意のサブフレームで送信されることができる。
【００３６】
[0046]１つのＵＥは、複数のｅＮＢのカバレッジ内に位置されることができる。これらのｅＮＢｓのうちの１つは、ＵＥにサービスするために選択されることができる。サービングｅＮＢは、受信信号強度、受信信号品質、経路損失などのような様々な基準に基づいて選択されることができる。受信信号品質は、信号対雑音・干渉比（ＳＩＮＲ）、または基準信号受信品質（ＲＳＲＱ）、または何らかの他のメトリックによって定量化されることができる。ＵＥは、当該ＵＥが、１つまたは複数の干渉するｅＮＢｓから高い干渉を観測し得る支配的な（dominant）干渉シナリオで動作することができる。
例示物理アップリンクコントロールチャネル（ＰＵＣＣＨ）構成
[0047]本開示のある態様はあるタイプのＵＥｓ（例えば、ＭＴＣ  ＵＥｓのようにエンハンストカバレッジ(enhanced coverage)で動作するＵＥｓ）に関するダウンリンクカバレッジエンハンスメントを提供する。これらのカバレッジエンハンスメントは、ここでさらに詳細に述べるように、ダウンリンクリソースに基づいてアップリンク送信をＵＥｓが実行できる狭帯域を識別するためにエンハンストカバレッジでＵＥｓが動作することを可能にすることができる。
【００３７】
[0048]非マシンタイプ通信（ＭＴＣ）ＵＥｓの場合、物理アップリンクコントロールチャネル（ＰＵＣＣＨ）リソースはスロット毎に周波数ホップされることができる。ＰＵＣＣＨは例えば、１つのサブフレーム内の２つのスロットの各々のシステム帯域幅のエッジにおけるリソースブロックで構成されることができる。しかしながら、マシンタイプ通信（ＭＴＣ）ＵＥｓの場合、ＰＵＣＣＨのためのスロットベースの周波数ホッピングは、例えば、ＭＴＣ  ＵＥｓが動作するより広いシステム帯域幅内の狭帯域領域により、カバレッジエンハンスメント（例えば、ダイバーシティゲイン）を提供することができない。ＭＴＣ  ＵＥｓが動作する狭帯域領域は例えば、最大６つのリソースブロックを含むことができる。
【００３８】
[0049]図５は本開示のある態様に従う、例示ＰＵＣＣＨ構成５００を図示する。図示されるように、ＰＵＣＣＨ領域５１０はシステム帯域幅のエッジに位置されることができ、物理アップリンク共有チャネル（ＰＵＳＣＨ）領域はＰＵＣＣＨ領域５１０１と５１０２との間に位置されることができる。ノーマルカバレッジで動作するＵＥｓはエンハンストカバレッジで動作するＵＥｓとは異なるＰＵＣＣＨ領域にスケジュールされることができる。たとえば、図示されるように、ノーマルカバレッジで動作するＵＥｓ（例えば、ノーマルカバレッジで動作するＭＴＣ  ＵＥｓまたはレガシ（非ＭＴＣ）ＵＥｓ）はレガシＰＵＣＣＨ領域５１２でスケジュールされることができ、一方エンハンストカバレッジで動作するＵＥｓはエンハンストカバレッジＰＵＣＣＨ領域５１４でスケジュールされることができる。
【００３９】
[0050]ＭＴＣシステム情報ブロック（ＳＩＢ）はＭＴＣ  ＵＥｓに関する少なくとも２つのＰＵＣＣＨ狭帯域領域を示すことができる。ＰＵＣＣＨ狭帯域領域のロケーションは全システム帯域幅内の開始オフセットに基づいて決定されることができる。開始オフセットは、例えば無線リソースコントロール（ＲＲＣ）シグナリングでＵＥに通信されることができ、開始オフセットはエンハンストカバレッジレベル毎にまたは各狭帯域ごとに定義されることができる。いくつかのケースにおいて、エンハンストカバレッジで動作するＵＥｓ（例えば、ＭＴＣ  ＵＥｓ）に関するＰＵＣＣＨリソースに関する物理リソースブロック（ＰＲＢｓ）はノーマルカバレッジで動作するＵＥｓ（例えば、レガシ(非ＭＴＣ)ＵＥｓ）に関するＰＵＣＣＨリソースに関するＰＲＢｓとは別個に構成されることができる。いくつかのケースにおいて、ＰＵＣＣＨリソースはエンハンストカバレッジで動作するＵＥｓとノーマルカバレッジで動作するレガシＵＥｓに関して同じＰＲＢで多重化されることができる。
【００４０】
[0051]エンハンストカバレッジで動作するＵＥｓ（例えば、ＭＴＣ  ＵＥｓ）の場合、ＰＵＣＣＨの反復がサポートされることができる。さらに種々の周波数ホッピングパターンを用いたＰＵＣＣＨ反復のための周波数ホッピングがサポートされることができる。狭帯域領域で動作するＵＥｓの場合、ＰＵＣＣＨはアップリンク領域に対するダウンリンクサブバンド間の関係にもとづいて構成されることができる。
【００４１】
[0052]図6は、本開示のある態様にしたがって、ダウンリンクリソースに基づいてアップリンク領域を決定するために実行されることができる動作６００を図示する。動作６００は、例えばＵＥによって（例えば、送信するためのアップリンクリソースを決定するために）またはｅＮＢによって（例えば、アップリンク送信に関してどのリソースをモニタすべきかを決定するために）実行されることができる。
【００４２】
[0053]動作６００は６０２で開始することができ、ここで、デバイスはダウンリンクリソースに基づいてより広いシステム帯域幅内に１つまたは複数のアップリンク狭帯域領域を識別する。６０４においてデバイスは識別された狭帯域領域の少なくとも１つを用いて通信する。
【００４３】
[0054]いくつかのケース」において、デバイスは、ＰＵＣＣＨ領域に対する、異なるダウンリンクサブバンドのようなダウンリンクリソースのマッピングを用いてアップリンクリソースを決定することができる。例えば、マッピングはサイクリックシフトに基づくことができる。一例において、各々が６つのリソースブロックを有する６つのダウンリンクサブバンドの割当を仮定すると、異なるサイクリックシフトを用いてＰＵＣＣＨ領域内の６つのリソースブロックの１つに合計３６のダウンリンクサブバンドがマップされることができる。
【００４４】
[0055]図７は、本開示のある態様に従う、周波数ホッピングされたＰＵＣＣＨ領域７００の一例を図示する。図示されるように、周波数ホッピングパターンは連続番号のサブフレームに関するＰＵＣＣＨの周波数ロケーションを固定(fix)することを含むことができる。例えば、バースト７１０において、第１のＵＥは第１の狭帯域領域７０２に割り当てられることができ、第２のＵＥは第２の狭帯域領域７０４に割り当てられることができる。バーストギャップ７２０の後で、ＰＵＣＣＨの周波数ロケーションはバースト７３０のために周波数をホップすることができる。図示されるように、バースト期間７３０の間に第１のＵＥは第１の狭帯域領域７０２から第２の狭帯域領域７０４へホップすることができ、第２のＵＥは第２の狭帯域領域７０４から第１の狭帯域領域７０２へホップすることができる。
【００４５】
[0056]いくつかのケースにおいて、周波数ホッピングはＰＵＣＣＨ領域をミラーリングすることを含むことができる。例えば、周波数ホッピングパターンはシステム帯域幅のエッジで狭帯域領域のミラーリングを生じることができる。ＰＵＣＣＨ領域はサブフレームの第１のセット（または第１のバースト期間）に関するシステム帯域幅の１つのエッジで固定されることができる。バーストギャップの後で、ＰＵＣＣＨ領域はサブフレームの第２のセット（第２のバースト期間）に関するシステム帯域幅の対向エッジへＰＵＣＣＨ領域を移動することによりミラーリングされることができる。周波数ホッピングは少なくとも２つのＰＵＣＣＨ狭帯域領域間で実行されることができる。エンハンストカバレッジで動作するＭＴＣタイプＵＥｓの場合、ＰＵＣＣＨのために使用される狭帯域領域のロケーションはサブフレームの数に対して同じままであり得る。
【００４６】
[0057]いくつかのケースにおいて、システム帯域幅がリソースブロックの数（例えば、狭帯域は最大６つのＲＢｓを備える）を超える場合のように、狭帯域内のおよびサブフレーム内のスロットベースの周波数ホッピングはエンハンストカバレッジで動作するＵＥｓに関しては実行されることができない。ＰＵＣＣＨに関するエンハンストカバレッジで動作するＵＥｓの場合、狭帯域にまたがるスロットレベルホッピングはサポートされることができない。
【００４７】
[0058]いくつかのケースにおいて、デバイスは、ダウンリンクメッセージの第１のコントロールチャネルエレメント（ＣＣＥ）のインデックスに基づいてアップリンクリソースを決定することができる。ダウンリンクメッセージは例えば、ＭＴＣＰＤＣＣＨ（ＭＰＤＣＣＨ）メッセージであり得る。デバイスは、いくつかのケースにおいて、レガシＵＥｓ（例えば、第１のＣＣＥインデックスプラスレガシＵＥｓ（例えば、ノーマルカバレッジで動作するＵＥｓ）に割り当てられたＰＵＣＣＨ  ＲＢｓの数のインデックスの関数に基づいてＰＵＣＣＨインデックスを決定することができる。すなわち、狭帯域領域に関するＰＵＣＣＨ  ＲＢインデックスは、I=f(CCEindex)+Mlegacyとして表されることが出来る。
【００４８】
[0059]図８は本開示のある態様に従う、ダウンリンクメッセージのＣＣＥのインデックスに基づいたアップリンクリソースの例示決定８００を図示する。図示されるように、狭帯域領域の第１のＰＵＣＣＨ領域８０２は第１のサブバンド８１２上で受信されたメッセージの第１のＣＣＥインデックスに基づいて決定されることができる。第２のＰＵＣＣＨ領域８０４は第２のサブバンド８１４上で受信されたメッセージの第２のＣＣＥインデックスに基づいて決定されることができる。
【００４９】
[0060]いくつかのケースにおいて、ＰＵＣＣＨ上のサブフレームバンドリングはＭＴＣ  ＵＥｓに関するサブフレーム内(intra-subframe)周波数ミラーリングをディスエーブルすることを含むことができる。上述したように、ＭＴＣ  ＵＥにより使用されるＰＵＣＣＨの周波数ロケーションは連続数のサブフレームに関して固定されることができる。いくつかのケースにおいて、ＭＴＣ  ＵＥは電力を節約するために起こりそうにない(less-probable)イベントに関連づけられたフィードバックを送信するように構成されることができる。例えば、ＵＥがエンハンストカバレッジ内にあり、ｅＮＢがターゲットブロックレベルエラーレート（ＢＬＥＲ）に関連づけられたバンドルサイズを使用する場合、ＵＥはそのバンドリングに対してネガティブアクノレジメント（ＮＡＣＫ）を送信する低い確率を持つことができる。（例えば、ｅＮＢからデータを受信する際のエラーはしばしば起こらないかもしれない。）電力を節約するために、ＵＥはＮＡＣＫメッセージを送信するように構成されることができるが、受信されたパケットのバンドルに関連してアクノレジメント（ＡＣＫ）メッセージをｅＮＢに送信する必要はない。
【００５０】
[0061]いくつかのケースにおいて、ＰＵＣＣＨ領域の周波数ロケーションは多数の連続サブフレームの後で切り替えられることができる。たとえば、周波数ロケーションは、バンドルバーストのサイズより大きなサブフレームの数および戻り時間の後で、切り替えられることができる。
【００５１】
[0062]いくつかのケースにおいて、レガシＵＥｓはエンハンストカバレッジで動作するＭＴＣ  ＵＥｓとは異なるＰＵＣＣＨ領域でスケジュールされることができる。ノーマルカバレッジで動作するＵＥｓは依然としてスロットベースの周波数ホッピングを実行するので、それらはＭＴＣ  ＵＥｓに干渉を引き起こす可能性がある。異なるＰＵＣＣＨ領域において、ノーマルカバレッジで動作するＵＥｓとエンハンストカバレッジで動作するＭＴＣ  ＵＥｓをスケジューリングすることはノーマルカバレッジで動作するＵＥｓとエンハストカバレッジで動作するＵＥｓとの間の干渉を回避することができる。
【００５２】
[0063]さらに、周波数ダイバーシティゲイン(gains)は、システム帯域幅のエッジで周波数ホッピングを実行することにより実現されることができ、およびシステム帯域幅のエッジでコントロール領域を使用することはアップリンク上での連続したリソース割り当てを介した達成可能なＰＵＳＣＨデータレートを最大化することができる。
【００５３】
[0064]図９はある態様に従って、バンドルサイズに無関係であり得る例示周波数ホッピングスキーム９００を図示する。特定のサブフレームを用いたリソースアロケーションはバンドルサイズに依存する必要はない。たとえば、周波数ホッピングが指定された周波数ホッピングパターンに基づいて実行される場合、ＵＥは所定のサブフレームに関してバンドルサイズに関わらずＰＵＣＣＨ上で送信するのに使用するチャネルを知ることができる。ＰＵＣＣＨ送信が反復される回数を表すことができるバンドルサイズは例えばＭＴＣ  ＵＥが動作しているエンハンストカバレッジモードに基づく無線リソースコントロール（ＲＲＣ）パラメータとしてシグナルされることができる。第１のエンハンストカバレッジモードにおいて、バンドルサイズは１、２、４、または８ＰＵＣＣＨ反復に適合されることができ、および第２のエンハンストカバレッジモードにおいてバンドルサイズは４、８、１６、または３２反復に適合されることができる。ＰＵＣＣＨリソースはＰＵＣＣＨ反復の各サブフレーム内において同じままに維持することができ、以下に記載されるように周波数ホッピングパターンに従ってサブフレーム境界で変更することができる。
【００５４】
[0065]図示されるように、ＰＵＣＣＨが送信されることができる周波数リソースは周期的に（例えば、この例では４サブフレーム毎に）第１の周波数バンド９０２と第２の周波数バンド９０４の間でホップすることができる。４つのサブフレームのバンドル９０６は４つのサブフレームの第１のセットのサブフレーム２で送信を開始することができる。ＵＥはサブフレームの第１のセットに対応するＰＵＣＣＨ領域内でバンドルの最初の２つのサブフレームを送信することができ(例えば、第１の周波数バンド９０２にバンドルの最初の２つのサブフレームを送信する)、サブフレームの第２のセットに対応するＰＵＣＣＨ領域に最後の２つのサブフレームを送信することができる（例えば、第２の周波数バンド９０４上にバンドルの最後の２つのサブフレームを送信する）。第１のセットのサブフレーム３で送信を開始する８つのサブフレームのバンドル９０８の場合、１つのサブフレームはサブフレームの第１のセットに対応するＰＵＣＣＨ領域で送信されることができ（例えば、第１の周波数バンド９０２上で送信される）、４つのサブフレームはサブフレームの第２のセットに対応するＰＵＣＣＨ領域で送信されることができ（例えば、第２の周波数バンド９０４上で送信される）、残りの３つのサブフレームはサブフレームの第３のセットに対応するＰＵＣＣＨ領域で送信されることができる（例えば、第１の周波数バンド９０２上で送信される。）
[0066]ここにおいて使用される場合、項目のリスト「のうちの少なくとも１つ」というフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図する。
【００５５】
[0067]ここでの開示に関連して説明された方法またはアルゴリズムのステップは、ハードウェアで直接的に、プロセッサによって実行されるソフトウェアモジュールで、または両者の組み合わせで、具現化されることができる。ソフトウェア／ファームウエアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（位相変更メモリ）、レジスタ、ハードディスク、リムーバブルディスク、ＣＤ−ＲＯＭ、または当該技術分野において既知の他の任意の形態の記憶媒体に存在し得る。例証的な記憶媒体は、プロセッサが記憶媒体から情報を読み取る、および／または、記憶媒体に情報を書き込むことができるように、プロセッサに結合される。あるいは、記憶媒体は、プロセッサに組み込まれることができる。プロセッサおよび記憶媒体はＡＳＩＣに常駐することができる。ＡＳＩＣは、ユーザ端末内に存在することができる。代替においては、プロセッサおよび記憶媒体は離散的なコンポーネントとしてユーザ端末内に常駐することができる。一般的に、図に示された動作が存在する場合、それらの動作は、同様の参照番号を付した、対応する対照のミーンズ・プラス・ファンクション・コンポーネントを有ることができる。
【００５６】
[0068]１つまたは複数の例示的な設計において、説明された機能は、ハードウェア、ソフトウェア／ファームウェア、またはそれらの組み合わせでインプリメントされることができる。ソフトウェア／ファームウェア内で実現される場合、機能は、コンピュータ可読媒体上の１つ以上の命令またはコードとして記憶または送信されることができる。コンピュータ可読媒体は、１つの場所から別の場所へのコンピュータプログラムの転送を容易にする任意の媒体を含む通信媒体とコンピュータ記憶媒体との両方を含む。記憶媒体は、汎用コンピュータまたは特殊目的コンピュータによってアクセスできる任意の利用可能な媒体であることができる。限定ではなく、例として、このようなコンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置又はその他の磁気記憶デバイス、あるいは、命令群又はデータ構造の形態で望ましいプログラムコード手段を搬送又は記憶するために使用されることができ、かつ、汎用又は特殊用途コンピュータ、あるいは汎用又は特殊用途プロセッサによってアクセスすることができるその他任意の媒体を備えることができる。また、任意の接続は、コンピュータ可読媒体と厳密には称される。例えば、ソフトウェア／ファームウェアが、ウェブサイト、サーバ、あるいは、同軸ケーブル、ファイバ光ケーブル、ツイストペア、デジタル加入者ライン（ＤＳＬ）、または赤外線、無線、およびマイクロ波のようなワイヤレス技術を使用している他の遠隔ソースから送信される場合、同軸ケーブル、ファイバ光ケーブル、ツイストペア、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザーディスク(登録商標)、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ可読媒体の範囲内に含まれるべきである。
【００５７】
[0069]本開示の先の説明は、当業者が本開示を製造または使用することを可能にするために提供される。本開示に対するさまざまな変更は、当業者に容易に理解され、ここで定義される一般的な原理は、本開示の主旨および範囲から逸脱することなく、他の変化に適用されることができる。従って、本開示は、本明細書に記載された例および設計に制限されることを意図せず、本明細書に開示された原理および新規な特徴に合致する最も広い範囲が与えられるべきである。
【図１】
2018522447.tif 000003
【図２】
2018522447.tif 000004
【図３】
2018522447.tif 000005
【図４】
2018522447.tif 000006
【図５】
2018522447.tif 000007
【図６】
2018522447.tif 000008
【図７】
2018522447.tif 000009
【図８】
2018522447.tif 000010
【図９】
2018522447.tif 000011
【国際調査報告】
2018522447.tif 000012
2018522447.tif 000013
2018522447.tif 000014
2018522447.tif 000015
2018522447.tif 000016
2018522447.tif 000017